(57)【要約】【課題】  メモリ送信中に、画像データの送信状況をリアルタイムに且つ容易に認識することが可能なファクシミリ装置を提供する。【解決手段】  ネットワーク複合機１は、原稿を読取り画像データを生成する読取部１２と、生成された画像データを符号化圧縮するコーデック１４と、符号化圧縮された画像データを記憶する記憶部１５と、記憶されている画像データをメモリ送信するモデム１６、ＮＣＵ１７と、メモリ送信が行われているときに、送信されている原稿のページ及び送信箇所を示す画像を表示する表示部１８とを備える。【選択図】  図１
2009207010.tif 000002
【特許請求の範囲】
【請求項１】
原稿を読取り画像データを生成する読取生成手段と、
前記読取生成手段により生成された前記画像データを記憶する記憶手段と、
前記記憶手段により記憶された前記画像データをメモリ送信する送信手段と、
前記送信手段によりメモリ送信が行われているときに、送信されている原稿のページ及び送信箇所を示す画像を表示する表示手段と、を備えることを特徴とするファクシミリ装置。
【請求項２】
前記表示手段は、メモリ送信中に、送信済の原稿のページ並びにラインを示す画像、及び、未送信の原稿のページ並びにラインを示す画像を表示することを特徴とする請求項１に記載のファクシミリ装置。
【請求項３】
前記表示手段は、メモリ送信中に、読み取られた原稿の総ページ数、生成された前記画像データのデータサイズ、及び送信済みの画像データ量に基づいて、前記画像を表示することを特徴とする請求項１又は２に記載のファクシミリ装置。
【発明の詳細な説明】
【技術分野】
【０００１】
本発明は、メモリ送信機能を備えたファクシミリ装置に関する。
【背景技術】
【０００２】
近年、原稿から読み取った画像データを装置のメモリに一旦蓄積した後に送信する、所謂メモリ送信機能を備えたファクシミリ装置が普及している。特許文献１には、このようなメモリ送信機能を備えたカラーファクシミリシステムであって、送信待ち原稿の待ち情報や、送信済みの結果情報を表示することができるものが開示されている。
【特許文献１】特開平９−８９８３号公報
【発明の開示】
【発明が解決しようとする課題】
【０００３】
メモリ送信機能を利用して画像データを送信する場合、原稿を読み取りながら送信する所謂スキャナ送信と異なり、原稿が送られているかどうか、また、今どのあたりまで送信が進んでいるのか等、といった送信状況を認識することが困難であった。なお、特許文献１記載のカラーファクシミリシステムによれば、送信待ち原稿の待ち情報や、送信済みの結果情報を表示することができるが、メモリ送信中の送信状況をリアルタイムに表示することは考慮されていない。そのため、メモリ送信中に原稿の送信状況を容易に認識することのできる技術が望まれていた。
【０００４】
本発明は、上記問題点を解消する為になされたものであり、メモリ送信中に、原稿の送信状況をリアルタイムに且つ容易に認識することが可能なファクシミリ装置を提供することを目的とする。
【課題を解決するための手段】
【０００５】
本発明に係るファクシミリ装置は、原稿を読取り画像データを生成する読取生成手段と、読取生成手段により生成された画像データを記憶する記憶手段と、記憶手段により記憶された画像データをメモリ送信する送信手段と、送信手段によりメモリ送信が行われているときに、送信されている原稿のページ及び送信箇所を示す画像を表示する表示手段とを備えることを特徴とする。
【０００６】
本発明に係るファクシミリ装置によれば、メモリ送信が行われているときに、送信されている原稿のページ及び送信箇所を示す画像が表示されるため、視覚的、且つ直感的にその時点における原稿の送信状況を認識することができる。そのため、メモリ送信中に、原稿の送信状況をリアルタイムに且つ容易に認識することが可能となる。
【０００７】
本発明に係るファクシミリ装置では、表示手段が、メモリ送信中に、送信済の原稿のページ並びにラインを示す画像、及び、未送信の原稿のページ並びにラインを示す画像を表示することが好ましい。
【０００８】
このようにすれば、原稿が受信側のファクシミリ装置に送信されていることを、原稿画像（イメージ）の移動で表現することができる。そのため、一目で原稿の送信状況を認識することが可能となる。
【０００９】
また、本発明に係るファクシミリ装置では、表示手段が、メモリ送信中に、読み取られた原稿の総ページ数、生成された画像データのデータサイズ、及び送信済みの画像データ量に基づいて、画像を表示することが好ましい。
【００１０】
このようにすれば、画像データが送信されるに伴い、リアルタイムで原稿の送信状況を示す画像を表示し、更新することが可能となる。
【発明の効果】
【００１１】
本発明によれば、送信している原稿のページ及び送信箇所を示す画像を表示する構成としたので、メモリ送信中に、原稿の送信状況をリアルタイムに且つ容易に認識することが可能となる。
【発明を実施するための最良の形態】
【００１２】
以下、図面を参照して本発明の好適な実施形態について詳細に説明する。なお、各図において、同一要素には同一符号を付して重複する説明を省略する。また、ここでは、実施形態に係るファクシミリ装置がネットワーク複合機に搭載された場合を例にして説明する。
【００１３】
まず、図１を参照しつつ、ファクシミリ装置が搭載されたネットワーク複合機１の全体構成について説明する。図１は、ネットワーク複合機１の構成を示すブロック図である。
【００１４】
ネットワーク複合機１は、ネットワーク対応されたファクシミリ、及びＩＦＡＸ（インターネットファクシミリ）の機能に加えて、プリンタ、スキャナ、コピーの各機能を有するものである。これらの各機能を実現するためにネットワーク複合機１は、制御部１０、操作部１１、読取部１２、記録部１３、コーデック１４、記憶部１５、モデム１６、ＮＣＵ１７、表示部１８、ＩＦＡＸ制御部１９、Ｗｅｂサーバ２０、及び、ＬＡＮインターフェース２１等を備えている。なお、各部は通信線２２で相互に通信可能に接続されている。
【００１５】
制御部１０は、演算を行うマイクロプロセッサ、マイクロプロセッサに各処理を実行させるためのプログラム等を記憶するＲＯＭ、演算結果などの各種データを一時的に記憶するＲＡＭ等により構成されている。制御部１０は、ＲＯＭに記憶されているプログラムを実行することにより、以下に説明するネットワーク複合機１を構成する各部の機能を実現するとともに、ネットワーク複合機１を構成する他のハードウェアを統合的に制御する。
【００１６】
操作部１１は、ファクシミリ機能をはじめとするネットワーク複合機１の各機能を利用するために用いられるキー、例えば、テンキー、短縮キー、スタートキー、及び各種のファンクションキー等を備えている。ユーザは、原稿をセットし、テンキー又は短縮キーを用いて送信先のファクシミリ番号を入力した後、スタートキーを押下げることによりファクシミリ送信（メモリ送信）を行うことができる。また、ユーザは、ファンクションキー及びテンキー等を用いて、メモリ送信を実行する時刻を設定することもできる。
【００１７】
読取部１２は、光源及びＣＣＤ等によって構成されており、紙文書等の原稿を設定された副走査線密度に応じてライン毎に読み取り、画像データを生成する。記録部１３は、電子写真方式のプリンタであり、読取部１２により読み取られた画像データ、及び、ファクシミリで受信された画像データ等を用紙にプリントアウトする。
【００１８】
コーデック１４は、読取部１２で読み取られた画像データを符号化圧縮（以下、単に「符号化」という）するとともに符号化されている画像データを復号する。上述した読取部１２及びコーデック１４は、特許請求の範囲に記載の読取生成手段に相当する。なお、符号化方式としては、ＭＨ（Modified Huffman）、ＭＲ（Modified READ（relative element address designate））、ＭＭＲ（Modified Modified READ）などが用いられる。
【００１９】
記憶部１５は、ＤＲＡＭ等で構成されており、コーデック１４で符号化された画像データを記憶する。すなわち、記憶部１５は、特許請求の範囲に記載の記憶手段として機能する。また、記憶部１５は、原稿が読取部１２により読み込まれる際に、読み込まれた原稿の総ページ数を記憶するとともに、符号化された各ページの画像データサイズを原稿（画像データ）と対応付けて記憶する。
【００２０】
モデム（変復調器）１６は、ディジタル信号とアナログ信号との間の変復調を行う。また、モデム１６は、ディジタル命令信号（ＤＣＳ）等の各種機能情報の発生及び検出を行う。ＮＣＵ（Network Control Unit）１７は、モデム１６と接続されており、モデム１６とＰＳＴＮ（公衆交換電話網）１００との接続を制御する。また、ＮＣＵ１７は、送信先のファクシミリ番号に対応した呼出信号の送出、及びその着信を検出する機能を備えている。すなわち、モデム１６及びＮＣＵ１７は、特許請求の範囲に記載の送信手段として機能する。
【００２１】
表示部１８は、ＬＣＤ等を用いた表示装置であり、ネットワーク複合機１の動作状態及び／又は各種設定内容等を表示する。また、表示部１８は、メモリ送信時に、読み取られた原稿の総ページ数並びに送信済みのページ数、及び、符号化された各ページの画像データサイズ並びに送信済みの画像データ量に基づいて、例えば、送信している原稿のページ及び送信箇所を示す画像を表示する。より具体的には、送信済みの原稿のページ並びにラインを示す画像、及び、未送信の原稿のページ並びにラインを示す画像を並べて表示する。すなわち、表示部１８は、特許請求の範囲に記載の表示手段として機能する。
【００２２】
ＩＦＡＸ制御部１９は、インターネット環境を利用し、読み取った送信原稿をＴＩＦＦ／ＰＤＦ形式の画像データとして、メールに添付して送信する。また、ＩＦＡＸ制御部１９は、設定された時間毎にＰＯＰサーバからメールを受信し、自動的にプリントアウトする。Ｗｅｂサーバ２０は、例えばＨＴＭＬで記述されたホームページ、ログインページ、及びファクシミリ操作ページ等のデータに対して、クライアント端末からアクセスして所定のＨＴＴＰタスクを実行することを可能にする。ＬＡＮインターフェース２１は、ネットワーク複合機１がＬＡＮ１０１と通信可能に接続するインターフェースである。ＬＡＮ１０１は、ルータ３０を介してインターネット１０２と接続されている。
【００２３】
次に、図２〜図５を併せて参照しつつ、ネットワーク複合機１の動作、特に、メモリ送信時の表示動作について説明する。図２は、ネットワーク複合機１によるファクシミリ通信の通信手順を示すシーケンス図である。図３は、ダイヤル中（発呼中）の表示例を示す図である。また、図４は、１ページ目の原稿を送信しているときの表示例を示す図であり、図５は、２ページ目の原稿を送信しているときの表示例を示す図である。ここでは、３枚の原稿をＧ３モードでメモリ送信する場合を例にして説明する。なお、原稿の枚数が３枚に限られないこと、また、通信モードがＧ３モードに限られないことは言うまでもない。
【００２４】
ＡＤＦ（Auto Document Feeder）に送信原稿がセットされ、操作部１１でメモリ送信が選択（デフォルトでメモリ送信に設定されている場合には不要）されるとともに送信先のファクシミリ番号が入力された後、スタートキーが押下げられると、ネットワーク複合機１は、セットされた原稿を順次読取部１２で読み取るとともに、読み取った画像データをコーデック１４で符号化した後、一旦記憶部１５に記憶（蓄積）する。なお、セットされた原稿が読み取られる際に、読み取られた原稿の枚数（ページ数）がカウントされて記憶される。また、符号化が行われる際に、符号化された画像データのデータサイズが各ページ毎に検出されて記憶される。
【００２５】
続いて、ネットワーク複合機１は、ＮＣＵ１７により回線が接続された後、記憶部１５に記憶されている画像データをモデム１６、ＮＣＵ１７を介して、相手先のファクシミリ装置に送信する。以下、詳細に説明する。
【００２６】
Ｇ３ファクシミリの伝送手順はＩＴＵ−Ｔ  Ｔ．３０に規定されており、次のフェーズＡからフェーズＥまで遷移していくことで、画像データの送受信が実現される。
フェーズＡ：呼設定の手順（発着信制御）
フェーズＢ：プリメッセージ手順
フェーズＣ：メッセージ伝送
フェーズＤ：ポストメッセージ手順
フェーズＥ：呼解放の手順（回線切断）
【００２７】
フェーズＡでは、ネットワーク複合機１（発端末）と受信側（送信先）のファクシミリ装置（着端末）との接続が確立される。受信側のファクシミリ装置は、ＣＮＧ信号（コーリングトーン：１１００Ｈｚ）を受信するか、回線に接続されてから１．８〜２．５秒後にＣＥＤ信号（被呼局識別信号：２１００Ｈｚ）を返す。
【００２８】
続いて、フェーズＢでは、機能の識別、及び通信条件の選定が行われる。受信側のファクシミリ装置は、ＣＥＤ信号を送信した後、自機が備えている能力を示すＤＩＳ信号を送信する。ネットワーク複合機１は、ＤＩＳ信号により示される能力の中から送信で使用する機能を選択し、受信側のファクシミリ装置にＤＣＳ信号で伝える。ネットワーク複合機１は、ＤＣＳ信号を送信した後、高速モデムに切り替えるためのトレーニング信号（ＴＣＦ信号）を送信する。受信側のファクシミリ装置は、ＴＣＦ信号を受信し、モデムの調整が終了すると、受信準備が完了したことを示すＣＦＲ信号を送信する。
【００２９】
ここで、フェーズＡ及びフェーズＢにおける表示部１８の表示例を図３に示す。これらのフェーズでは、まだ原稿（画像データ）の送信が行われていないため、読み取り時にカウントされた原稿のページ数に基づいて、記憶されている３枚の原稿を示す画像が表示部１８に表示される。また、表示部１８には、通信状況を示す文字情報（「ダイアル中」）も表示される。
【００３０】
図２に戻り、続くフェーズＣでは、記憶部１５に記憶されている画像データ（符号化データ）が送信される。すなわち、ネットワーク複合機１は、ＣＦＲ信号を受信すると、モデム１６、ＮＣＵ１７を介して１ページ目の画像データを送信する（ＰＩＸ）。
【００３１】
ここで、１ページ目の原稿が送信されているときの表示部１８の表示例を図４に示す。１ページ目が送信されているときには、符号化される際に記憶された１ページ目の画像データのデータサイズと、送信済みの画像データ量とに応じて、１ページ目の送信済みのラインを示す画像と、１ページ目の未送信のラインを示す画像及び未送信のページ（第２，３ページ）を示す画像とが送信方向を示す矢印を挟んで並べて表示される。また、両画像が画像データの送信に伴って、リアルタイムに更新される。すなわち、原稿（１ページ目）の送信している箇所を示す画像が、リアルタイムに更新されながら表示される。その結果、１ページ目の原稿が受信側のファクシミリ装置に送信されていることが、原稿画像（イメージ）の移動で表現される。また、表示部１８には、通信状況を示す文字情報（「原稿送信中１ページ目」）も表示される。
【００３２】
図２に戻り、続くフェーズＤでは、１ページの送信確認及び複数ページの伝送手順（ポストメッセージ手順）が実行される。より具体的には、ネットワーク複合機１は、１ページ分の画像データを送信した後、次の送信ページがある場合にはＭＰＳ信号を、直前に送信の終了したページが最終ページである場合にはＥＯＰ信号を、パラメータを変更した後次ページの送信を行う場合にはＥＯＭ信号を送信する。受信側のファクシミリ装置は、いずれかの制御信号を受信すると、確認したことを示すＭＣＦ信号を返す。その後、ＭＰＳ信号が送信された場合にはフェーズＣへ、ＥＯＭ信号が送信されたときにはフェーズＢへ戻り、各フェーズを繰り返し実行する。ＥＯＰ信号が送信された場合には、フェーズＥに移行する。
【００３３】
ここで、本実施形態では２ページ目の原稿が存在するため、ネットワーク複合機１は、ＭＰＳ信号を送信し、ＭＣＦ信号を受信した後、記憶部１５に記憶されている２ページ目の画像データを送信する（ＰＩＸ）。
【００３４】
ここで、２ページ目の原稿が送信されているときの表示部１８の表示例を図５に示す。２ページ目が送信されているときには、符号化される際に記憶された２ページ目の画像データのデータサイズと、送信済みの画像データ量とに応じて、２ページ目の送信済みのラインを示す画像及び送信済みのページ（第１ページ）を示す画像と、２ページ目の未送信のラインを示す画像及び未送信のページ（第３ページ）を示す画像とが送信方向を示す矢印を挟んで並べて表示される。また、両画像が画像データの送信に伴って、リアルタイムに更新される。すなわち、原稿（２ページ目）の送信している箇所を示す画像が、リアルタイムに更新されながら表示される。その結果、２ページ目の原稿が受信側のファクシミリ装置に送信されていることが、原稿画像（イメージ）の移動で表現される。また、表示部１８には、通信状況を示す文字情報（「原稿送信中２ページ目」）も表示される。
【００３５】
図２に戻り説明を続けると、２ページ目の画像データが送信された後、上述したフェーズＤ及びフェーズＣが繰り返して実行され、３ページ目の画像データが送信される（ＰＩＸ）。３ページ目の画像データが送信された後、ネットワーク複合機１は、再びフェーズＤを実行し、送信の終了したページが最終ページであることを示すＥＯＰ信号を送信する。受信側のファクシミリ装置は、ＥＯＰ信号を受信すると、確認したことを示すＭＣＦ信号を返す。その後、処理がフェーズＥに移行する。
【００３６】
フェーズＥでは、ネットワーク複合機１は、接続を終了して回線を解放する。より具体的には、ネットワーク複合機１は、切断を示すＤＣＮ信号を送信し、呼の切断を行う。
【００３７】
本実施形態によれば、メモリ送信が行われているときに、送信されている原稿のページ及び送信箇所を示す画像が表示されるため、視覚的、且つ直感的にその時点における原稿の送信状況を認識することができる。そのため、メモリ送信中に、原稿の送信状況をリアルタイムに且つ容易に認識することが可能となる。
【００３８】
また、本実施形態によれば、原稿が受信側のファクシミリ装置に送信されていることを、原稿画像（イメージ）の移動で表現することができる。そのため、一目で原稿の送信状況を認識することが可能となる。
【００３９】
さらに、本実施形態によれば、画像データが送信されるに伴い、リアルタイムで原稿の送信状況を示す画像を表示し、更新することが可能となる。
【００４０】
以上、本発明の実施の形態について説明したが、本発明は、上記実施形態に限定されるものではなく種々の変形が可能である。例えば、上記実施形態では、本発明に係るファクシミリをネットワーク複合機に搭載したが、単機能のファクシミリ専用機に適用できることは言うまでもない。
【００４１】
上記実施形態では、本発明をＧ３ファクシミリに適用したが、本発明は、スーパーＧ３、及びＩＳＤＮ回線で用いられるＧ４ファクシミリ等にも適用することができる。
【００４２】
また、本発明は、メールサーバを介さずにインターネットファクシミリ端末間で直接通信を行うダイレクトＳＭＴＰにも適用することができる。電子メールを用いるダイレクトＳＭＴＰでは、１つのＴＩＦＦファイルに複数ページの画像データを含むマルチページ形式のＴＩＦＦデータが、Ｂａｓｅ６４を利用してテキストデータにエンコードされ、電子メール本文に付加された後、ＳＭＴＰプロトコルに従って送信される。そのため、上述したＧ３ファクシミリの場合と異なり、送信されているページを認識することができない。よって、本発明をダイレクトＳＭＴＰに適用する場合には、全体のデータサイズに対する送信済みデータ量の割合に応じて、上述した画像、すなわち送信されている原稿のページ及び送信箇所を示す画像を表示することが好ましい。
【図面の簡単な説明】
【００４３】
【図１】実施形態に係るファクシミリ装置が搭載されたネットワーク複合機の構成を示すブロック図である。
【図２】ファクシミリ通信の通信手順を示すシーケンス図である。
【図３】ダイアル中の表示例を示す図である。
【図４】１ページ目の原稿を送信しているときの表示例を示す図である。
【図５】２ページ目の原稿を送信しているときの表示例を示す図である。
【符号の説明】
【００４４】
１  ネットワーク複合機
１０  制御部
１１  操作部
１２  読取部
１３  記録部
１４  コーデック
１５  記憶部
１６  モデム
１７  ＮＣＵ
１８  表示部
１９  ＩＦＡＸ制御部
２０  Ｗｅｂサーバ
２１  ＬＡＮインターフェース
３０  ルータ
１００  ＰＳＴＮ
１０１  ＬＡＮ
１０２  インターネット
【図１】
2009207010.tif 000003
【図２】
2009207010.tif 000004
【図３】
2009207010.tif 000005
【図４】
2009207010.tif 000006
【図５】
2009207010.tif 000007